【手続補正書】
【提出日】平成31年4月12日(2019.4.12)
【手続補正１】
【補正対象書類名】明細書
【補正対象項目名】発明の名称
【補正方法】変更
【補正の内容】
【発明の名称】情報処理システム、アクセス中継装置、その制御方法、及びプログラム
【手続補正２】
【補正対象書類名】明細書
【補正対象項目名】００１１
【補正方法】変更
【補正の内容】
【００１１】
そこで、本発明では、電子メールに付与された不適切な接続先へのアクセスを制御することで、セキュリティの向上を図ることが可能な情報処理システム、アクセス中継装置、その制御方法、及びプログラムを提供することを目的とする。
【手続補正３】
【補正対象書類名】明細書
【補正対象項目名】００１２
【補正方法】変更
【補正の内容】
【００１２】
上記課題を解決するための本発明は、電子メールの中継を制御するメール中継装置と、アクセス先情報へのアクセスを制御するアクセス中継装置と、が通信可能に接続された情報処理システムであって、前記メール中継装置は、電子メールに含まれるアクセス先情報を取得する取得手段と、を備え、前記アクセス中継装置は、アクセスの制御をすべきアクセス先情報を記憶する記憶手段と、前記取得手段によって取得した前記アクセス先情報のうち、所定の条件を満たす電子メールに含まれるアクセス先情報を前記記憶手段へ登録する登録手段と、を備えることを特徴とする。
【手続補正４】
【補正対象書類名】特許請求の範囲
【補正対象項目名】全文
【補正方法】変更
【補正の内容】
【特許請求の範囲】
【請求項１】
電子メールの中継を制御するメール中継装置と、アクセス先情報へのアクセスを制御するアクセス中継装置と、が通信可能に接続された情報処理システムであって、
前記メール中継装置は、
電子メールに含まれるアクセス先情報を取得する取得手段と、
を備え、
前記アクセス中継装置は、
アクセスの制御をすべきアクセス先情報を記憶する記憶手段と、
前記取得手段によって取得した前記アクセス先情報のうち、所定の条件を満たす電子メールに含まれるアクセス先情報を前記記憶手段へ登録する登録手段と、
を備えることを特徴とする情報処理システム。
【請求項２】
前記登録手段は、前記取得手段によって取得した前記アクセス先情報のうち、前記メール中継装置で保留または削除された電子メールに含まれるアクセス先情報を前記記憶手段へ登録することを特徴とする請求項１に記載の情報処理システム。
【請求項３】
前記メール中継装置は、受信した電子メールに付与されたアクセス先情報に関して、当該アクセス先情報へのアクセスのリスクを判定する判定手段と、
をさらに備え、
前記取得手段は、前記判定手段で判定したリスクを示すリスク情報と前記アクセス先情報とを取得することを特徴とする請求項１または２に記載の情報処理システム。
【請求項４】
前記登録手段は、前記取得手段で取得した前記アクセス先情報のうち、前記リスク情報に基づいてリスクが高いと判定されたアクセス先情報を登録することを特徴とする請求項３に記載の情報処理システム。
【請求項５】
前記アクセス中継装置は、
前記取得手段で取得した前記アクセス先情報を表示するよう制御する表示制御手段、
をさらに備え、
前記登録手段は、前記表示制御手段によって表示制御されたアクセス先情報であって選択を受け付けたアクセス先情報を登録することを特徴とする請求項３または４に記載の情報処理システム。
【請求項６】
前記表示制御手段は、前記アクセス先情報に対応するリスク情報を表示するよう制御することを特徴とする請求項５に記載の情報処理システム。
【請求項７】
前記アクセス中継装置は、電子メールの受信を制御する際に用いる受信制御ルールに基づいて、前記電子メールに対する操作に応じたリスク情報を、前記取得手段で取得することを特徴とする請求項３乃至６のいずれか１項に記載の情報処理システム。
【請求項８】
前記リスク情報は、前記電子メールに対する操作が受信指示である場合は、アクセスのリスクは低いものとし、前記電子メールに対する操作が受信禁止である場合は、アクセスのリスクは高いものとする情報であることを特徴とする請求項７に記載の情報処理システム。
【請求項９】
前記アクセス中継装置は、
前記登録手段で登録されたアクセス先情報へのアクセスの要求を受け付けた際に、当該アクセスを行う、あるいは、アクセスを行わない指示を受け付けるアクセス指示受付手段、
をさらに備えることを特徴とする請求項１乃至８のいずれか１項に記載の情報処理システム。
【請求項１０】
前記記憶手段は、前記アクセス指示受付手段で受け付けた指示に関する情報を記憶し、
前記表示制御手段は、前記記憶手段で記憶される前記アクセス指示受付手段で受け付けた指示に関する情報を表示するよう制御することを特徴とする請求項９に記載の情報処理システム。
【請求項１１】
前記アクセス中継装置は、
前記登録手段で登録されたアクセス先情報へのアクセスの要求を受け付けた際に、前記記憶手段で記憶される前記アクセス指示受付手段で受け付けた指示に関する情報を用いて警告する警告手段、
をさらに備えることを特徴とする請求項９または１０に記載の情報処理システム。
【請求項１２】
前記警告手段は、アクセスを行う指示を受け付けた回数とアクセスを行わない指示を受け付けた回数との少なくともいずれか１つを用いて警告を行うことを特徴とする請求項１１に記載の情報処理システム。
【請求項１３】
電子メールの中継を制御するメール中継装置と、アクセスの制御をすべきアクセス先情報を記憶する記憶手段を備えた、アクセス先情報へのアクセスを制御するアクセス中継装置と、が通信可能に接続された情報処理システムの制御方法であって、
前記メール中継装置は、
電子メールに含まれるアクセス先情報を取得する取得ステップと、
を含み、
前記アクセス中継装置は、
前記取得ステップによって取得した前記アクセス先情報のうち、所定の条件を満たす電子メールに含まれるアクセス先情報を前記記憶手段へ登録する登録ステップと、
を含むことを特徴とする情報処理システムの制御方法。
【請求項１４】
電子メールの中継を制御するメール中継装置と通信可能な、アクセス先情報へのアクセスを制御するアクセス中継装置であって、
前記メール中継装置で中継される電子メールに含まれるアクセス先情報を取得する取得手段と、
前記取得手段で取得した前記アクセス先情報を記憶する記憶手段と、
前記取得手段で取得した前記アクセス先情報のうち、前記メール中継装置で所定の処理が行われる電子メールに含まれるアクセス先情報を前記記憶手段へ登録する登録手段と、
を備えることを特徴とするアクセス中継装置。
【請求項１５】
電子メールの中継を制御するメール中継装置と通信可能な、アクセス先情報を記憶する記憶手段を備えた、アクセス先情報へのアクセスを制御するアクセス中継装置の制御方法であって、
前記メール中継装置で中継される電子メールに含まれるアクセス先情報を取得する取得ステップと、
前記取得ステップで取得した前記アクセス先情報のうち、前記メール中継装置で所定の処理が行われる電子メールに含まれるアクセス先情報を前記記憶手段へ登録する登録ステップと、
を含むことを特徴とするアクセス中継装置の制御方法。
【請求項１６】
電子メールの中継を制御するメール中継装置と通信可能な、アクセス先情報を記憶する記憶手段を備えた、アクセス先情報へのアクセスを制御するアクセス中継装置として機能させるプログラムであって、
前記アクセス中継装置を、
前記メール中継装置で中継される電子メールに含まれるアクセス先情報を取得する取得手段と、
前記取得手段で取得した前記アクセス先情報のうち、前記メール中継装置で所定の処理が行われる電子メールに含まれるアクセス先情報を前記記憶手段へ登録する登録手段、
として機能させるためのプログラム。
【請求項１７】
電子メールの中継を制御するメール中継装置と、アクセス先情報へのアクセスを制御するアクセス中継装置とを含む情報処理システムであって、
前記メール中継装置は、
電子メールに含まれるアクセス先情報を取得する取得手段と、
所定の条件を満たす電子メールを特定する特定手段と、
を備え、
前記アクセス中継装置は、
前記取得手段により取得された前記アクセス先情報のうち、前記特定手段により特定された電子メールに含まれるアクセス先情報へのアクセスを制御する制御手段を備えることを特徴とする情報処理システム。
【請求項１８】
電子メールの中継を制御するメール中継装置と、アクセス先情報へのアクセスを制御するアクセス中継装置とを含む情報処理システムの制御方法であって、
前記メール中継装置は、
電子メールに含まれるアクセス先情報を取得する取得ステップと、
所定の条件を満たす電子メールを特定する特定ステップと、
を含み、
前記アクセス中継装置は、
前記取得ステップにより取得された前記アクセス先情報のうち、前記特定ステップにより特定された電子メールに含まれるアクセス先情報へのアクセスを制御する制御ステップを含むことを特徴とする情報処理システムの制御方法。
【請求項１９】
電子メールの中継を制御するメール中継装置と通信可能な、アクセス先情報へのアクセスを制御するアクセス中継装置であって、
電子メールに含まれるアクセス先情報を取得する取得手段と、
所定の条件を満たす電子メールを特定する特定手段と、
前記取得手段により取得された前記アクセス先情報のうち、前記電子メール中継装置で所定の条件を満たすと判定された電子メールに含まれるアクセス先情報へのアクセスを制御する制御手段と、
を備えることを特徴とするアクセス中継装置。
【請求項２０】
電子メールの中継を制御するメール中継装置と通信可能な、アクセス先情報へのアクセスを制御するアクセス中継装置の制御方法であって、
電子メールに含まれるアクセス先情報を取得する取得ステップと、
所定の条件を満たす電子メールを特定する特定ステップと、
前記取得ステップにより取得された前記アクセス先情報のうち、前記電子メール中継装置で所定の条件を満たすと判定された電子メールに含まれるアクセス先情報へのアクセスを制御する制御ステップと、
を含むことを特徴とするアクセス中継装置の制御方法。
【請求項２１】
電子メールの中継を制御するメール中継装置と通信可能な、アクセス先情報へのアクセスを制御するアクセス中継装置として機能させるプログラムであって、
前記アクセス中継装置を、
電子メールに含まれるアクセス先情報を取得する取得手段と、
所定の条件を満たす電子メールを特定する特定手段と、
前記取得手段により取得された前記アクセス先情報のうち、前記電子メール中継装置で所定の条件を満たすと判定された電子メールに含まれるアクセス先情報へのアクセスを制御する制御手段、
として機能させるためのプログラム。